(57)【要約】【課題】  ＨＤＭＩ規格を活用した供給装置と処理装置及び指示方法を提供する。【解決手段】  供給装置１からＨＤＭＩケーブル６を介して処理装置１０に指示を行なう指示方法であって、供給装置において、操作スイッチからの信号を検出し、供給装置において、ＨＤＭＩ規格で用いられるパケット信号のＳＰＤ（Source Product Description）のアスキー記述領域に検出信号に応じた指示情報を記載したパケット信号を生成し、供給装置から処理装置に、ＨＤＭＩケーブルを介してパケット信号を供給し、処理装置において、パケット信号のＳＰＤのアスキー記述領域から指示情報を検出し、これに応じて所望の動作を行なうことを特徴とする指示方法。【選択図】図１
2007150853.tif 000002
【特許請求の範囲】
【請求項１】
操作スイッチからの信号を検出する操作部と、
ＨＤＭＩ（High Definition Multimedia Interface）規格で用いられるパケット信号のＳＰＤ（Source Product Description）のアスキー記述領域に、前記操作部からの前記検出信号に応じた指示情報を記述したパケット信号を生成する生成部と、
前記生成部からの前記パケット信号をＨＤＭＩケーブルを介して外部装置に供給するインタフェース部と、を具備することを特徴とする供給装置。
【請求項２】
前記操作部の前記操作スイッチは、前記供給装置の電源スイッチであることを特徴とする請求項１記載の供給装置。
【請求項３】
ＨＤＭＩケーブルを介して外部装置からＨＤＭＩ規格でパケット信号を受信するインタフェース部と、
前記パケット信号のＳＰＤのアスキー記述領域から、前記指示情報を検出する検出部と、
前記検出部が検出した前記パケット信号のＳＰＤのアスキー記述領域から前記指示情報を検出すると、これに応じて所望の動作を行なうべく制御する制御部と、
を具備することを特徴とする処理装置。
【請求項４】
前記制御部は、前記検出部が検出した前記パケット信号のＳＰＤのアスキー記述領域から前記指示情報を検出すると、これに応じて前記処理装置の一部に電源を供給する電源部をオンさせることを特徴とする請求項３記載の処理装置。
【請求項５】
前記インタフェース部を介して前記外部装置からコンテンツ信号を受け、このコンテンツ信号に基づく画像を画面に表示する表示部を更に有し、
前記制御部は、前記検出部が検出した前記パケット信号のＳＰＤのアスキー記述領域から前記指示情報を検出すると、これに応じて電源を少なくとも前記表示部に供給する電源部をオンさせることを特徴とする請求項３記載の処理装置。
【請求項６】
前記インタフェース部を介して前記外部装置からコンテンツ信号を受け、このコンテンツ信号を含む複数の映像信号から一つの映像信号を選択して出力する選択部（１１６）を更に有し、
前記制御部は、前記検出部が検出した前記パケット信号のＳＰＤのアスキー記述領域から前記指示情報を検出すると、これに応じて前記選択部が前記コンテンツ信号を選択するべく制御することを特徴とする請求項３記載の処理装置。
【請求項７】
前記制御部は、前記検出部が検出した前記パケット信号のＳＰＤのアスキー記述領域から前記指示情報を検出すると、これに応じて予め与えられたプログラムを動作させるべく制御することを特徴とする請求項３記載の処理装置。
【請求項８】
供給装置からＨＤＭＩ（High Definition Multimedia Interface）ケーブルを介して処理装置に指示を行なう指示方法であって、
前記供給装置において、操作スイッチからの信号を検出し、
前記供給装置において、ＨＤＭＩ規格で用いられるパケット信号のＳＰＤ（Source Product Description）のアスキー記述領域に、前記検出信号に応じた指示情報を記述したパケット信号を生成し、
前記供給装置から前記処理装置に、前記ＨＤＭＩケーブルを介して前記パケット信号を供給し、
前記処理装置において、前記パケット信号のＳＰＤのアスキー記述領域から指示情報を検出し、これに応じて所望の動作を行なうことを特徴とする指示方法。
【請求項９】
前記パケット信号のＳＰＤのアスキー記述領域から前記指示情報を検出すると、これに応じて前記処理装置の一部に電源を供給する電源部をオンさせることを特徴とする請求項８記載の指示方法。
【請求項１０】
前記処理装置は、前記インタフェース部を介して前記供給装置からコンテンツ信号を受け、このコンテンツ信号に基づく画像を画面に表示する表示部を更に有し、
前記検出したパケット信号のＳＰＤのアスキー記述領域から前記指示情報を検出すると、これに応じて電源を少なくとも前記表示部に供給することを特徴とする請求項８記載の指示方法。
【請求項１１】
前記処理装置は、前記供給装置からコンテンツ信号を受け、又、他の装置からも映像信号を受け、
前記検出したパケット信号のＳＰＤのアスキー記述領域から前記指示情報を検出すると、これに応じて前記複数の映像信号から前記コンテンツ信号を選択するべく制御することを特徴とする請求項８記載の指示方法。
【請求項１２】
前記検出した前記パケット信号のＳＰＤのアスキー記述領域から前記指示情報を検出すると、これに応じて予め与えられたプログラムを動作させるべく制御することを特徴とする請求項８記載の指示方法。
【発明の詳細な説明】
【技術分野】
【０００１】
この発明は、供給装置からの指示により所定処理を行なう処理装置に関し、特に、ＨＤＭＩ（High Definition Multimedia Interface）（登録商標）の規格を用いて指示を行なう供給装置と処理装置及び両者の間の指示方法に関する。
【背景技術】
【０００２】
最近、映像信号を扱うデジタル機器が非常に普及してきており、これらの映像機器は、お互いに通信ケーブル等を介して任意にコンテンツ信号や操作信号を通信することができる。これらの映像機器の間では、異なる通信規格での通信が可能であり、最近知られている通信規格として、ＨＤＭＩ（High Definition Multimedia Interface）（非特許文献１参照）がある。
【０００３】
特許文献１は、ＨＤＭＩを用いたＡＶネットワーク対応記録再生装置が開示されており、この装置においては、ＨＤＭＩコマンドを用いて記録や再生の動作制御を行なっている。
【特許文献１】特開２００５−１８４０７９公報。
【非特許文献１】HDMI Licensing LLC, High-Definition Multimedia Interface Specification Version 1.2。
【非特許文献２】EIA/CEA-861-B ADTV Profile for Uncompressed High Speed Digital Interfaces。
【発明の開示】
【発明が解決しようとする課題】
【０００４】
しかしながら、特許文献１では、必ずしもＨＤＭＩ規格の可能性を十分に活用しているとは言えない。例えば、ＨＤＭＩ規格においては、比較的自由に定義することができるＳＰＤ（Source Product Description）のDevice Informationの領域があり、このような領域を十分活用できていないという問題がある。
【０００５】
本発明は、ＨＤＭＩ規格を活用した供給装置と処理装置及び指示方法を提供することを目的とする。
【課題を解決するための手段】
【０００６】
本発明に係る実施形態の一つは、操作スイッチからの信号を検出する操作部と、ＨＤＭＩ規格で用いられるパケット信号のＳＰＤのアスキー記述領域に、前記操作部からの前記検出信号に応じた指示情報を記述したパケット信号を生成する生成部と、前記生成部からの前記パケット信号をＨＤＭＩケーブルを介して外部装置に供給するインタフェース部とを具備することを特徴とする供給装置である。
【０００７】
又、ＨＤＭＩケーブルを介して外部装置からＨＤＭＩ規格でパケット信号を受信するインタフェース部と、前記パケット信号のＳＰＤのアスキー記述領域から、指示情報を検出する検出部と、前記検出部が検出した前記パケット信号のＳＰＤのアスキー記述領域から前記指示情報を検出すると、これに応じて所望の動作を行なうべく制御する制御部とを具備することを特徴とする処理装置である。
【発明の効果】
【０００８】
ＨＤＭＩ規格のＳＰＤ（Source Product Description）のアスキー記述領域を利用して、供給装置から処理装置に所望の指示を行なうことができる。
【発明を実施するための最良の形態】
【０００９】
以下、この発明の実施の形態について図面を参照して詳細に説明する。
【００１０】
本発明に係る供給装置及び処理装置は、一例として、図２及び図３に示したハードディスクレコーダ及びデジタルテレビジョンを適用してＨＤＭＩ規格を活用した指示方法を実施することができ、以下、この場合を例にして以下に図面を用いて説明する。図１は、本発明の一実施形態に係る供給装置と処理装置との接続の一例を示す説明図、図２は、本発明の一実施形態に係る供給装置の構成の一例を示すブロック図、図３は、本発明の一実施形態に係る処理装置の構成の一例を示すブロック図、図４は、本発明の一実施形態に係る供給装置と処理装置との接続を示す説明図である。
【００１１】
＜本発明の一実施形態である供給装置と処理装置＞
以下、本発明の一実施形態である供給装置と処理装置との関係を図１を用いて説明する。図１において、供給装置１は、ＨＤＭＩ規格による通信機能をもっており、ここでは、マスタ機器側の例えばハードディスクレコーダ等のコンテンツを供給する機能をもった装置であるが、ハードディスクレコーダに限るものではない。同様に、図１において、処理装置１０は、ＨＤＭＩ規格による通信機能をもっており、ここでは、シンク機器側の例えばデジタルテレビジョン等のコンテンツを処理する機能をもった装置であるが、デジタルテレビジョンに限るものではない。
【００１２】
供給装置１及び処理装置１０との間には、ＨＤＭＩ規格によるケーブルが接続されており、後述するＳＰＤ（Source Product Description）を提供するためのコンテンツ信号７が供給装置１から処理装置１０の方向へ供給される。又、これに対して、処理装置１０から供給装置１へは、図５のＨＤＭＩケーブルのピンの信号で説明があるＤＤＣ信号８として、ＥＤＩＤが供給される。なお、後述する指示処理において、指示処理の結果を供給装置１から処理装置１０へ、このＤＤＣ信号８によるＥＤＩＤで知らせることも好適である。ＨＤＭＩケーブル６は、図４に示すように、供給装置１のＨＤＭＩインタフェースのＨＤＭＩコネクタ９に一端が接続され、処理装置１０のＨＤＭＩインタフェースであるＨＤＭＩコネクタ１０９に他端が接続される。
【００１３】
＜供給装置：記録再生装置＞
以下、この発明に係る供給装置の一実施形態である記録再生装置の一例を図面を用いて説明する。なお、この記録再生装置にはハードディスク及び光ディスクの記録再生機能が搭載されているが、必ずしも記録再生機能は必要ではなく、少なくとも、ＨＤＭＩ規格による通信機能をもった装置であればよい。
【００１４】
（構成）
初めに、図２は、この発明に係る供給装置の一実施形態である記録再生装置の一例を示すブロック図である。図２の記録再生装置１は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１５】
又、図２の記録再生装置１は、録画側を構成するエンコーダ部２１と、再生側を構成するＭＰＥＧデコーダ部２３と、装置本体の動作を制御する制御部３０とを主たる構成要素としている。記録再生装置１は、入力側のセレクタ１６と出力側のセレクタ１１７とを有している。
【００１６】
入力側のセレクタ１６には、一例として、外部へ映像信号等を供給するＨＤＭＩ規格のＨＤＭＩインタフェースのＨＤＭＩコネクタ９と、モデム等に接続されるイーサネット（登録商標）等の通信部１１とが接続されている。ここで、図示しないモデムは光ファイバを介してインターネットサービスプロバイダ等に接続されてインターネットへの通信等を行なう。更に、この入力側のセレクタ１６には、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。
【００１７】
又、記録再生装置１は、エンコーダ部２１、エンコーダ部２１の出力を受けデータ編集等の所望のデータ処理を行うデータ編集部２０、データ編集部２０に接続されるハードディスクドライブ部１８、光ディスクドライブ部１９を有している。更に、記録再生装置１は、ハードディスクドライブ部１８、光ディスクドライブ部１９からの信号を受けてデコードするＭＰＥＧデコーダ部２３、エンコーダ部２１、バッファ部２２、ＭＰＥＧデコーダ部２３、多重化部２８、分離部２９、制御部３０、ＳＰＤ制御部４２、予約リスト・番組表画像を生成したり予約録画を行なう番組表生成部４３を有している。これらの各部は、データバスを介して制御部３０に接続されている。更に、セレクタ部１７の出力は外部のモニタ等に供給され、外部装置との通信を行うインタフェース部２７を介して、外部装置に供給される。
【００１８】
更に、記録再生装置１は、データバスを介して制御部３０に接続され、ユーザの操作やリモコンＲの操作を受ける操作部３２を有している。ここで、リモコンＲは、記録再生装置１の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１９】
（動作）
このような構成の記録再生装置１においては、ＢＳ／ＣＳチューナ部１２及び地上波チューナ部１３は、操作部３２の操作に応じて制御部３０の制御下において、ユーザの所望する放送信号を受信し復調して、復調信号をセレクタ部１６を介してＭＰＥＧデコーダ部２３又は音声映像処理部２４に供給する。これにより、音声映像処理部２４からは、モニタ４１上に表示可能な映像音声信号として出力され、モニタ４１及びＩ／Ｆ部２７に供給されて表示されるものである。
【００２０】
又、更に、このような構成の記録再生装置１において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００２１】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。又、番組表生成部４３により予約録画を行なうことも可能である。
【００２２】
又、このような構成の記録再生装置１において、後述するように、制御部３０及びＳＰＤ制御部４２の制御下において、ＨＤＭＩパケットを生成し、ＨＤＭＩインタフェースのＨＤＭＩコネクタ９を介して後述する処理装置１０へ指示信号を供給することで、指示処理を行なうことが可能となる。
【００２３】
＜処理装置：デジタルテレビジョン＞
本発明に係る処理装置の一例であるデジタルテレビジョンを図３を用いて説明する。
【００２４】
（構成）
初めに、図３は、本発明の一実施形態に係るデジタルテレビジョンの構成の一例を示すブロック図である。図３において、デジタルテレビジョンである処理装置１０は、入力側のセレクタ１１６と出力側のセレクタ１１７とを有している。
【００２５】
ここで、入力側のセレクタ１１６には、ＨＤＭＩ規格で通信を行なうためのＨＤＭＩケーブル６が装着されるＨＤＭＩインタフェースであるＨＤＭＩコネクタ１０９が接続されている。更に、一例として、外部から映像信号等を取り込む単数又は複数の外部入力端子１１４を有している。更に、図示しないモデム等が接続されるイーサネット等の通信部１１１を有している。
【００２６】
更に、この入力側のセレクタ１１６には、いわゆる衛星放送（ＢＳ／ＣＳ）チューナ部１１２と、いわゆる地上波チューナ部１１３とが接続され、エンコーダ部１２１に信号を出力する。又、ＢＳ／ＣＳチューナ部１１２には衛星アンテナが、地上波チューナ部１１３には地上波アンテナが接続されている。
【００２７】
更に、デジタルテレビジョンである処理装置１０は、番組表画像を生成する番組表生成部１４３を有しており、データバスを介して制御部１３０に接続されている。更に、セレクタ部１１７の出力はモニタ１４１に供給され、外部装置との通信を行うインタフェース部１２７を介して、外部装置に供給される。
【００２８】
更に、デジタルテレビジョンである処理装置１０は、データバスを介して制御部３０に接続され、ユーザの操作やリモコンＲ２の操作を受ける操作部１３２を有している。ここで、リモコンＲ２は、処理装置１０の本体に設けられる操作部１３２とほぼ同等の操作を可能とするものであり、チューナの操作、各種設定が可能である。
【００２９】
又、表示部であるモニタ１４１には、電源部１４４から電源が供給されている。ここで、電源部１４４は、制御部１３０やＳＰＤ制御部１４２により動作が制御される電源であり、一方、制御部１３０やＳＰＤ制御部１４２や通信部１１１、ＨＤＭＩインタフェース１０９は、図示しない電源部により電源が供給されており、電源部１４４の動作を制御することができる。なお、電源部１４４は、表示部であるモニタ１４１のみに電源を供給するだけでなく、他の回路（特に消費電流の大きいユニット）等にも供給するものであってもよい。
【００３０】
（動作）
このような構成のデジタルテレビジョンである処理装置１０においては、ＢＳ／ＣＳチューナ部１１２及び地上波チューナ部１１３は、操作部１３２の操作に応じて制御部１３０の制御下において、ユーザの所望する放送信号を受信し復調して、復調信号をセレクタ部１１６を介して音声映像処理部１２４に供給する。これにより、音声映像処理部１２４からは、モニタ１４１上に表示可能な映像音声信号として出力され、モニタ１４１及びＩ／Ｆ部１２７に供給されて表示されるものである。
【００３１】
又、後述するように、制御部１３０及びＳＰＤ制御部１４２の制御下において、ＨＤＭＩインタフェースのＨＤＭＩコネクタ９を介して取得したＨＤＭＩパケットの指示信号を解釈して、所望の処理を行なうものである。
【００３２】
＜ＨＤＭＩパケットを用いた指示処理＞
次に、本発明の一実施形態に係るＨＤＭＩパケットを用いた指示処理について、図面を用いて以下に詳細に説明する。図５は、本発明の一実施形態に係る供給装置及び処理装置が用いるＨＤＭＩケーブルのピンの信号の一例を示す説明図、図６は、本発明の一実施形態に係るＨＤＭＩインタフェースの複数のパケットタイプの一例を示した説明図、図７は、本発明の一実施形態に係るＨＤＭＩインタフェースのパケットタイプの一つであるＳＰＤ（Source Product Descriptor InforFrame）の一例を示した説明図、図８は、本発明の一実施形態に係る供給装置（マスタ装置）と処理装置（シンク装置）との処理の一例を示すフローチャートである。
【００３３】
（ＨＤＭＩパケット）
初めに、本発明の一実施形態に係るＨＤＭＩパケットを用いた指示処理で使用されるＨＤＭＩパケット中のデータ構造について、図面を用いて説明する。
【００３４】
ＨＤＭＩケーブル６が挿入されるＨＤＭＩインタフェースのＨＤＭＩコネクタ９のピン１〜１９の信号をそれぞれ示している。
【００３５】
又、図６は、このＨＤＭＩケーブル６で転送されるＨＤＭＩパケットの種類を示しており、パケットタイプバリュ（Packet Type Value）に対して、パケットタイプバリュ０ｘ００は無効データ、０ｘ０１は、オーディオクロック利ジェネレーション、０ｘ０２は、オーディオサンプル、０ｘ０３は、ゼネラルコントロール、０ｘ０４は、ＡＣＰパケット、０ｘ０５は、ＩＳＲＣ１パケット、０ｘ０６は、ＩＳＲＣ２パケット、０ｘ０７は、ワンビットオーディオサンプルパケット、０ｘ８０インフォフレームタイプは、ＥＩＡ／ＣＥＡ−８６１Ｂインフォフレームである。
【００３６】
ここで、０ｘ８０インフォフレームタイプは、それぞれ、０ｘ８１が、ベンダースペシフィックインフォフレーム、０ｘ８２は、ＡＶＩインフォフレーム、０ｘ８３は、ソースプロダクト・ディスクリプタ・インフォフレーム、０ｘ８４は、オーディオインフォフレーム、０ｘ８５は、ＭＰＥＧソースインフォフレームである。
【００３７】
ここで、０ｘ８３のソースプロダクト・ディスクリプタ・インフォフレームの表示項目及び表示内容は、図７の『テーブル１６．Source Product Description InforFrame format』（EIA/CEA-861-B ADTV Profile for Uncompressed High Speed Digital Interfaces：［非特許文献２］の６４頁）に示すように、テーブル１６のレングス・オブ・ソース・プロダクト・ディスクリプション・インフォフレーム・フォーマットにより特定される。
【００３８】
テーブル１６において、アスキー記述領域は、レングス・オブ・ソース・プロダクト・ディスクリプション・インフォフレームのデータ・バイト１からデータ・バイト２４までの領域であり、この領域においてベンダーは、アスキーコードで任意に情報を定義することができる。従って、このアスキー記述領域において、一例として、『メーカ名』及び『機種名』を定義することができる。
【００３９】
更に、フローチャートを用いて後述するように、例えば、ソースデバイスインフォメーションに『電源オン』や『ライン切換』、更に、例えば、デバッグ等の『特定のプログラム』
を定義することで、供給装置１から処理装置１０へ様々な指示を出すことが可能となる。
【００４０】
（ハードディスクレコーダとデジタルテレビジョンとの間の操作上の不具合）
次に、図１に示すように、例えば、ハードディスクレコーダ１とデジタルテレビジョン１０との間を映像ケーブルで接続して使用する際に、操作上の煩雑な操作が必要となる場合について説明する。図１乃至図４において、例えば、ユーザは、ハードディスクレコーダ１が記録している映画等のコンテンツを再生しようとした場合、ハードディスクレコーダ１のリモコンＲ又は操作部３２のうち電源スイッチや再生ボタンを操作する。これにより、ハードディスクレコーダ１の例えばＨＤＭＩコネクタ９からコンテンツ信号が出力されるが、デジタルテレビジョン１０では、必ずしも電源が投入されているとは限らない。
【００４１】
この場合は、ユーザは、ハードディスクレコーダ１のリモコンＲ又は操作部３２を操作した後、デジタルテレビジョン１０のリモコンＲＲ又は操作部１３２を操作して、少なくとも電源を投入し、セレクタ部１１６のラインを例えばＨＤＭＩコネクタ１０９に変更するという煩雑な操作を行なわなければならない。又、ハードディスクレコーダ１のリモコンＲでデジタルテレビジョン１０の操作を行なえる仕様もあるが、リモコンＲの動作モードをハードディスクレコーダモードに切り換えたりデジタルテレビジョンモードに切り換えるという煩雑な操作を行わなければならない。このため、幼児や高齢者等の操作に不慣れなユーザにとっては、ハードディスクレコーダの操作は難しいという印象を与えてしまうという不具合がある。
【００４２】
（指示処理）
本発明の一実施形態に係る指示処理においては、例えば、このようなハードディスクレコーダとデジタルテレビジョンとの間の操作上の不具合に対して、操作を非常に簡易とする指示処理を行なうものである。
【００４３】
図８のフローチャートにおいて、初めに、ハードディスクレコーダ１等の供給装置（マスタ機器）において、制御部３０及びＳＰＤ制御部４２の働きにより、ユーザがリモコンＲ又は操作部３２の電源スイッチが押下したかどうかが問われ（ステップＳ１１）、押下しなければ、他のリモコンＲ又は操作部３２のスイッチが押下したかどうかが問われる（ステップＳ１２）。
【００４４】
スイッチの押下が検出されると、制御部３０及びＳＰＤ制御部４２の働きにより、デジタルテレビの電源オン又はデジタルテレビにおいてラインをハードディスクレコーダへ切り換えるライン切換を意味する指示情報をアスキーコードで生成する（ステップＳ１３）。同時に、図７に示すように、制御部１３０及びＳＰＤ制御部１４２の働きにより、ＳＰＤInfoFrameのアスキー記述領域において、Ａ社等のメーカ名、更には、ハードディスクレコーダの機種名を意味するアスキーコードによる指示情報を生成する。そして、これらの指示情報及びメーカ名等、機種名等の情報がそれぞれ、ＳＰＤのアスキー記述領域に記述されたＨＤＭＩパケットを生成し（ステップＳ１４）、このＨＤＭＩパケットをＨＤＭＩケーブル６を介して処理装置１０に供給する。なお、これらのメーカ名、機種名等の情報は、必ずしも必須ではなく、少なくとも指示情報を含んでいれば、本発明の実施形態を成すものである。
【００４５】
一方、図８のフローチャートにおいて、デジタルテレビジョン１０等の処理装置（シンク機器）において、制御部１３０及びＳＰＤ制御部１４２の働きにより、パケットの受信を検知すると（ステップＳ２１）、パケットのSPD InfoFrameの図７に示すアスキー記述領域を参照する（ステップＳ２２）。
【００４６】
そして、制御部１３０及びＳＰＤ制御部１４２の働きにより、例えば、デジタルテレビ１０がＡ社であれば、ハードディスクレコーダ１から供給されたアスキー記述領域に記述された所定メーカがＡ社を示しているかどうかを判断する（ステップＳ２２）。又、このとき、必ずしもデジタルテレビ１０とハードディスクレコーダ１とは同一メーカであるかどうかを判断せずに、デジタルテレビ１０のＡ社及び関連のＢ社、Ｃ社、Ｄ社等のように、一定の範囲をもっていることも好適である。更に、ここで、アスキー記述領域に記述された機種名からハードディスクレコーダ１の機種名を妥当なものかどうか判断することも好適であるが、必ずしもこの判断は必要ない。
【００４７】
次に、制御部１３０及びＳＰＤ制御部１４２の働きにより、これらのメーカ名等が妥当なものと判断されなければ処理を終了し、妥当なものと判断されれば（ステップＳ２３）、ＳＰＤのアスキー記述領域に記述された指示情報を判断する。すなわち、制御部１３０及びＳＰＤ制御部１４２の働きにより、ＳＰＤのアスキー記述領域のどこかに、電源オンを意味する指示情報があるかどうかを判断し、あれば、デジタルテレビ１０の電源部１４４をオンする。これにより、例えば、電源部１４４から消費電力が比較的大きいモニタ１４１の電源が供給される。ここで、電源部１４４の電源供給先は、モニタ１４１に限らず、他のユニット等を対象にすることも好適である。
【００４８】
次に、制御部１３０及びＳＰＤ制御部１４２の働きにより、ＳＰＤのアスキー記述領域のどこかに、ハードディスクレコーダ１（マスタ装置）へのライン切換を意味する指示情報があるかどうかを判断し、あれば、セレクタ部１１６を切り換えることで、例えば端子１１４等からの複数の映像信号から、例えば、ＨＤＭＩコネクタ１０９から供給されるハードディスクレコーダ１からのコンテンツ信号を選択するべくセレクタ部１１６を制御する（ステップＳ２７）。
【００４９】
又、更に、制御部１３０及びＳＰＤ制御部１４２の働きにより、ＳＰＤのアスキー記述領域のどこかに、所定プログラムの起動を意味する等の特定の処理実行を意味する指示情報があるかどうかを判断し（ステップＳ２８）、あればこれを実行することが好適であり、一例として、これはエラー処理のプログラムであることが好適であるが、これに限るものではない（ステップＳ２９）。
【００５０】
以上のような実施形態によれば、例えば、ユーザが、ハードディスクレコーダ１に記録されているコンテンツを再生しようとして、ハードディスクレコーダ１のリモコンＲに触れて、例えば、再生ボタンを押すと、これを検知したＳＰＤ制御部４２により、電源オン及びライン切換の指示信号を含んだＨＤＭＩパケットが生成され、これがＨＤＭＩケーブルを介して、デジタルテレビジョン１０に供給される。デジタルテレビジョン１０では、ＳＰＤ制御部４２等の働きにより、電源オン及びライン切換の指示信号を判断し、自動的にデジタルテレビジョン１０の電源をオンしてラインをハードディスクレコーダ１に切り換える。
【００５１】
これにより、ユーザは、ハードディスクレコーダ１のリモコンＲに触れただけで、デジタルテレビジョン１０の電源投入とライン切換が自動的に行なわれるため、ユーザにとってハードディスクレコーダ１とデジタルテレビジョン１０はあたかも一体化した家電製品のようにハードディスクレコーダ１のリモコンＲの操作だけで動作し、視聴することができるものである。これにより、従来のようなそれぞれの装置の操作を別個に行なうという煩雑で難解な操作が不要となり、デジタル機器の操作に不慣れな年配者や幼児等であっても、直感的な操作でこれらのシステムを利用することが可能となるものである。
【００５２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００５３】
例えば、上記の実施形態である指示処理は、ハードディスクレコーダ１とデジタルテレビジョン１０とを用いて説明したが、本発明の一実施形態は、これに限るものではなく、ＨＤＭＩ規格で通信が可能なあらゆる機器（マスタ機器とシンク機器との関係）の間で実施することが可能であり、例えば、パソコンをマスタ機器とし、プロジェクタをシンク機器とする場合等が好適である。
【図面の簡単な説明】
【００５４】
【図１】本発明の一実施形態に係る供給装置と処理装置との接続の一例を示す説明図。
【図２】本発明の一実施形態に係る供給装置の構成の一例を示すブロック図。
【図３】本発明の一実施形態に係る処理装置の構成の一例を示すブロック図。
【図４】本発明の一実施形態に係る供給装置と処理装置との接続を示す説明図。
【図５】本発明の一実施形態に係る供給装置及び処理装置が用いるＨＤＭＩケーブルのピンの信号の一例を示す説明図。
【図６】本発明の一実施形態に係るＨＤＭＩインタフェースの複数のパケットタイプの一例を示した説明図。
【図７】本発明の一実施形態に係るＨＤＭＩインタフェースのパケットタイプの一つであるＳＰＤ（Source Product Descriptor InforFrame）の一例を示した説明図。
【図８】本発明の一実施形態に係る供給装置（マスタ装置）と処理装置（シンク装置）との処理の一例を示すフローチャート。
【符号の説明】
【００５５】
１…供給装置、６…ＨＤＭＩケーブル、１０…処理装置、１１…通信部、１１−２…通信部、１２…ＢＳ／ＣＳチューナ部、１３…地上波チューナ部、Ｒ…リモコン、３２…操作部。
【図１】
2007150853.tif 000003
【図２】
2007150853.tif 000004
【図３】
2007150853.tif 000005
【図４】
2007150853.tif 000006
【図５】
2007150853.tif 000007
【図６】
2007150853.tif 000008
【図７】
2007150853.tif 000009
【図８】
2007150853.tif 000010